(57)【要約】      （修正有）【課題】適用スピーカに対する数や位置等の少ない制約で、しかも、軽い処理負荷で、再生エリア内のみに音情報を伝達できる音響再生装置を提供する。【解決手段】超指向性スピーカＳＰ１及び超指向性スピーカＳＰ２の指向性が交差しているエリアが再生エリアであり、再生音源を時分割で第１の分割再生音を超指向性スピーカＳＰ１、第２の分割再生音を超指向性スピーカＳＰ２から放音し、交差しているエリアが再生エリア再生音源に意図した情報が正しく伝達される。【選択図】図１
2015019150.tif 000002
【特許請求の範囲】
【請求項１】
与えられた当該スピーカ用の音響信号に基づいて放音動作して音響を送出する、送出した音響が所定の再生エリアを通過する複数のスピーカと、
上記再生エリアに伝達すべき入力された再生音源から、当該再生音源の一部の情報を含む、上記各スピーカ用の音響信号であって、全ての上記スピーカ用の音響信号が重畳したと仮定したときに上記再生音源と等価な信号が得られる、上記各スピーカ用の音響信号を形成するスピーカ別信号形成手段と、
上記スピーカ別信号形成手段が形成した上記各スピーカ用の音響信号をそれぞれ、対応する上記スピーカに与えて放音させるスピーカ別信号出力手段と
を有することを特徴とする音響再生装置。
【請求項２】
上記スピーカ別信号形成手段は、上記再生音源を時間軸方向に分割し、分割により得られた再生音源区間を分配することにより、上記各スピーカ用の音響信号を形成することを特徴とする請求項１に記載の音響再生装置。
【請求項３】
上記スピーカ別信号形成手段は、時間軸方向の分割点近傍でクロスフェードを掛けることを特徴とする請求項２に記載の音響再生装置。
【請求項４】
上記スピーカ別信号形成手段は、上記再生音源を周波数軸方向に分割し、得られた再生音源帯域を分配することにより、上記各スピーカ用の音響信号を形成することを特徴とする請求項１に記載の音響再生装置。
【請求項５】
上記スピーカ別信号形成手段は、上記再生音源を、そのレベルを複数に分割して、分割レベルを有する音響信号を形成し、上記各スピーカ用の音響信号とすることを特徴とする請求項１に記載の音響再生装置。
【請求項６】
上記スピーカ別信号形成手段は、上記再生音源のレベルを複数に分割する比率を、時間経過と共に変化させることを特徴とする請求項５に記載の音響再生装置。
【請求項７】
上記スピーカ別信号形成手段は、上記各スピーカから放音された音響が上記再生エリアに到達するタイミングが同期するように、形成した少なくとも一部の上記各スピーカ用の音響信号の位相を操作するタイミング調整部を含んでいることを特徴とする請求項１〜６のいずれかに記載の音響再生装置。
【請求項８】
上記スピーカ別信号形成手段は、上記各スピーカから放音された音響が上記再生エリアに到達して合成された際には、合成音響が背景雑音から浮かび上がるように、形成した上記各スピーカ用の音響信号を背景雑音に埋もれさせるスピーカ別信号雑音埋没部を含んでいることを特徴とする請求項１〜７のいずれかに記載の音響再生装置。
【請求項９】
いずれかの上記スピーカから送出された音響を反射させ、上記再生エリアに進行させる反射部材をさらに有することを特徴とする請求項１〜８のいずれかに記載の音響再生装置。
【請求項１０】
与えられた当該スピーカ用の音響信号に基づいて放音動作して音響を送出する、送出した音響が所定の再生エリアを通過する複数のスピーカにそれぞれ与える音響信号を形成する装置に搭載されたコンピュータを、
上記再生エリアに伝達すべき入力された再生音源から、当該再生音源の一部の情報を含む、上記各スピーカ用の音響信号であって、全ての上記スピーカ用の音響信号が重畳したと仮定したときに上記再生音源と等価な信号が得られる、上記各スピーカ用の音響信号を形成するスピーカ別信号形成手段と、
上記スピーカ別信号形成手段が形成した上記各スピーカ用の音響信号をそれぞれ、対応する上記スピーカに与えて放音させるスピーカ別信号出力手段と
して機能させることを特徴とする音響再生プログラム。
【発明の詳細な説明】
【技術分野】
【０００１】
本発明は音響再生装置及びプログラムに関し、例えば、特定のエリア内でのみ音情報を再生する場合に適用し得るものである。
【背景技術】
【０００２】
音情報を特定の空間（エリア）内にのみ伝達する技術は、騒音やプライバシーなどの問題に対処するために必要とされている。エリア内のみに音情報を再生する手法として、スピーカアレイを用いた信号処理による音場制御がある。この手法は、境界音場制御理論に基づき、各スピーカから出力する音の遅延と周波数特性を制御することで、エリアの境界上の音圧を消去する手法である（特許文献１参照）。
【０００３】
また、エリア内のみに音情報を再生する他の手法として、特定の方向に鋭い指向性を持つ超指向性スピーカを利用する方法もある。代表的な超指向性スピーカとしてパラメトリックスピーカが挙げられる。パラメトリックスピーカとは、超音波を利用することで、鋭い指向性を形成し、かつ、遠くまで音を減衰させずに伝達するスピーカである（非特許文献１参照）。このような超指向性スピーカを、例えば天井に下を向けて設置すれば、真下のエリアにのみ音情報を伝達することができる。
【先行技術文献】
【特許文献】
【０００４】
【特許文献１】特開２００６−７４４４２号公報
【非特許文献】
【０００５】
【非特許文献１】鎌倉友男、酒井新一著、“パラメトリックスピーカの実用化”、日本音響学会誌６２巻１１号（２００６），ｐｐ．７９１−７９７
【発明の概要】
【発明が解決しようとする課題】
【０００６】
上述した従来技術を用いれば、特定のエリア内のみに音情報を伝達することができる。しかし、実際に使用する際には、様々な課題が残っている。
【０００７】
スピーカアレイを用いた音場制御技術では、一つのエリアに対して膨大な数のスピーカが必要となる上、多チャンネルフィルタ処理の計算量が多く、動作させるためにはかなりのマシンパワーを必要とする。
【０００８】
また、超指向性スピーカを天井に設置する方法は、設置できる場所に制限がある。例えば、屋外で設置するためには専用の機材が必要となり、室内でも天井の形状に左右されることになる。さらに、ひとたび設置すると、別のエリアに移動させることが難しいという問題もある。
【０００９】
そのため、適用スピーカに対する数や位置等の少ない制約で、しかも、軽い処理負荷で、特定のエリア内のみに音情報を伝達することができる音響再生装置及びプログラムが望まれている。
【課題を解決するための手段】
【００１０】
第１の本発明の音響再生装置は、（１）与えられた当該スピーカ用の音響信号に基づいて放音動作して音響を送出する、送出した音響が所定の再生エリアを通過する複数のスピーカと、（２）上記再生エリアに伝達すべき入力された再生音源から、当該再生音源の一部の情報を含む、上記各スピーカ用の音響信号であって、全ての上記スピーカ用の音響信号が重畳したと仮定したときに上記再生音源と等価な信号が得られる、上記各スピーカ用の音響信号を形成するスピーカ別信号形成手段と、（３）上記スピーカ別信号形成手段が形成した上記各スピーカ用の音響信号をそれぞれ、対応する上記スピーカに与えて放音させるスピーカ別信号出力手段とを有することを特徴とする。
【００１１】
第２の本発明の音響再生プログラムは、与えられた当該スピーカ用の音響信号に基づいて放音動作して音響を送出する、送出した音響が所定の再生エリアを通過する複数のスピーカにそれぞれ与える音響信号を形成する装置に搭載されたコンピュータを、（１）上記再生エリアに伝達すべき入力された再生音源から、当該再生音源の一部の情報を含む、上記各スピーカ用の音響信号であって、全ての上記スピーカ用の音響信号が重畳したと仮定したときに上記再生音源と等価な信号が得られる、上記各スピーカ用の音響信号を形成するスピーカ別信号形成手段と、（２）上記スピーカ別信号形成手段が形成した上記各スピーカ用の音響信号をそれぞれ、対応する上記スピーカに与えて放音させるスピーカ別信号出力手段として機能させることを特徴とする。
【発明の効果】
【００１２】
本発明によれば、適用スピーカに対する数や位置等の少ない制約で、しかも、軽い処理負荷で、特定のエリア内のみに音情報を伝達することができる音響再生装置及びプログラムを提供することができる。
【図面の簡単な説明】
【００１３】
【図１】各実施形態の共通技術思想を具体的に説明するための２つの超指向性スピーカと再生エリアの位置関係を示す説明図である。
【図２】図１の２つの超指向性スピーカに分配するための、再生音源（音響信号）の分割方法の説明図である。
【図３】第１の実施形態に係る音響再生装置の構成を示すブロック図である。
【図４】第１の実施形態に係る音響再生装置の処理を示すフローチャートである。
【図５】第２の実施形態に係る音響再生装置における超指向性スピーカと反射部材と再生エリアの位置関係を示す説明図である。
【図６】第２の実施形態に係る音響再生装置の構成を示すブロック図である。
【図７】第３の実施形態に係る音響再生装置の構成を示すブロック図である。
【図８】第４の実施形態に係る音響再生装置の構成を示すブロック図である。
【図９】第５の実施形態に係る音響再生装置の構成を示すブロック図である。
【図１０】第５の実施形態に係る音響再生装置の段階ゲイン乗算部が適用する段階状ゲインの例を示す説明図である。
【図１１】第６の実施形態に係る音響再生装置の構成を示すブロック図である。
【図１２】第６の実施形態の変形実施形態に係る音響再生装置の一部構成を示すブロック図である。
【発明を実施するための形態】
【００１４】
（Ａ）各実施形態に共通する技術思想
本発明による音響再生装置及びプログラムの第１〜第６の実施形態を説明する前に、第１〜第６の実施形態に共通する技術思想（以下、共通技術思想と呼ぶ）を簡単に説明する。
【００１５】
共通技術思想では、放音（発音）された音響が直線上に進行する複数の超指向性スピーカを用い、各超指向性スピーカを異なる位置に設置する。各超指向性スピーカの指向性は、音情報を再生させるエリア（以下、再生エリアと呼ぶ）を通るように選定されている。言い換えると、どの超指向性スピーカから放音された音響も再生エリアは通過するが、再生エリア以外に、複数の超指向性スピーカから放音された音響が共に通過するエリアは存在しない。
【００１６】
また、共通技術思想では、再生エリアで再生させる音情報の音源（再生音源）の信号（以下、信号を略して単に再生音源と呼ぶ）を、所定の観点から、超指向性スピーカの数だけ分割し、各分割再生音源を、対応する超指向性スピーカから放音させる。各分割再生音源は、元の再生音源を超指向性スピーカの数に分割したものであるので、各分割再生音源をそれぞれ聴取しても、音情報を認識できないか、若しくは、音情報の認識にかなりの苦労を伴う。共通技術思想においては、再生エリアでは、全ての分割再生音源が流れるので、分割する前の再生音源が流れたと同じ状態となる。従って、再生エリアで聴取した場合には、再生音源が意図している音情報を聴取者は認識できる。
【００１７】
再生音源を分割する観点は、１つに限定されず、再生エリアで全ての分割再生音源が流れた際に聴取者が情報を認識できる観点であれば良い。例えば、時分割を適用できる。また例えば、帯域分割を適用できる。さらに例えば、音量分割を適用できる。複数の観点の分割を組み合わせる分割方法であっても良い。例えば、時分割と帯域分割との組み合わせを適用できる。
【００１８】
以下、共通技術思想の具体的なイメージを、分割の観点が時分割である場合を例に、図１及び図２を参照しながら説明する。
【００１９】
図１は、２つの超指向性スピーカ（第１及び第２の超指向性スピーカ）ＳＰ１及びＳＰ２の配置位置と、各超指向性スピーカＳＰ１、ＳＰ２の指向性とを示している。第１及び第２の両超指向性スピーカＳＰ１及びＳＰ２の指向性が交差しているエリアが再生エリアである。図２（Ａ）に示すような再生音源は、時間方向に分割される。０〜ｔ１、ｔ２〜ｔ３、ｔ４〜ｔ５、…の各期間での信号を含む、図２（Ｂ）に示す第１の分割再生音源は、第１の超指向性スピーカＳＰ１から放音される。一方、ｔ１〜ｔ２、ｔ３〜ｔ４、…の各期間での信号を含む、図２（Ｃ）に示す第２の分割再生音源は、第２の超指向性スピーカＳＰ２から放音される。
【００２０】
例えば、再生音源が「あのやまをのぼればうみがみえる」であった場合において、時分割（かな文字を単位とした時分割を仮定）により、第１の分割再生音源として「あ・や・を・ぼ・ば・み・み・る」（・は無音区間を表す）が得られ、第２の分割再生音源として「・の・ま・の・れ・う・が・え・」が得られ、それぞれ、対応する超指向性スピーカＳＰ１、ＳＰ２から放音されたとする。
【００２１】
両超指向性スピーカＳＰ１及びＳＰ２の指向線上にない箇所では、両超指向性スピーカＳＰ１及びＳＰ２が放音しても、何ら情報は聴取されない。再生エリアを除いた第１の超指向性スピーカＳＰ１の指向線上の箇所では「あ・や・を・ぼ・ば・み・み・る」が聴取されるが、「あ・や・を・ぼ・ば・み・み・る」は意味不明であり、当初の情報「あのやまをのぼればうみがみえる」は認識されない。同様に、再生エリアを除いた第２の超指向性スピーカＳＰ２の指向線上の箇所では「・の・ま・の・れ・う・が・え・」が聴取されるが、「・の・ま・の・れ・う・が・え・」は意味不明であり、当初の情報「あのやまをのぼればうみがみえる」は認識されない。
【００２２】
これに対して、再生エリアでは、第１の超指向性スピーカＳＰ１が放音した「あ・や・を・ぼ・ば・み・み・る」と第２の超指向性スピーカＳＰ２が放音した「・の・ま・の・れ・う・が・え・」とが聴取される。２種類の聴取音響の一方が有音期間では他方が無音区間であって無音期間を補うので、２種類の聴取音響を合成されて聴取される。すなわち、当初の再生音源である「あのやまをのぼればうみがみえる」が聴取され、再生エリアでは、再生音源が意図した情報が正しく伝達される。
【００２３】
以下、以上のような共通技術思想が具現化された、音響再生装置及びプログラムについての各実施形態を順次説明する。
【００２４】
（Ｂ）第１の実施形態
次に、本発明による音響再生装置及びプログラムの第１の実施形態を、図面を参照して説明する。
【００２５】
（Ｂ−１）第１の実施形態の構成
図３は、第１の実施形態に係る音響再生装置の構成を示すブロック図である。超指向性スピーカを除く図１に示す部分は、ハードウェア的に各種回路を接続して構築されても良く、また、ＣＰＵ、ＲＯＭ、ＲＡＭなどを有する汎用的な装置若しくはユニットが所定のプログラムを実行することで該当する機能を実現するように構築されても良く、いずれの構築方法を採用した場合であっても、機能的には、図３で表すことができる。
【００２６】
図３において、第１の実施形態の音響再生装置１０は、Ｎ（Ｎは２以上の整数）台の超指向性スピーカＳＰ１〜ＳＰＮ、音響信号入力部１１、音響信号分割部１２、音響信号分配部１３、遅延算出部１４、空間座標データ保持部１５、遅延器１６及び音響信号出力部１７を備える。
【００２７】
超指向性スピーカＳＰ１〜ＳＰＮはそれぞれ、上述したように、超音波を利用することで、鋭い指向性を形成し、かつ、遠くまで音を減衰させずに伝達するスピーカである。各超指向性スピーカＳＰ１〜ＳＰＮの指向性は、再生エリアを通るようになされている。図３では、超指向性スピーカＳＰ１〜ＳＰＮが直線上に配置されているように見えるが、この配置は、紙面の都合による配置であり、実際の配置ではない（同様に、後述するブロック図における超指向性スピーカの配置も実際の配置ではない）。
【００２８】
第１の実施形態の説明では、再生エリアが固定されていて、超指向性スピーカＳＰ１〜ＳＰＮも所定位置に固定されているとして説明する。
【００２９】
しかし、同一の音響再生装置で、複数の再生エリアのうち、その時点で選択されている再生エリアに対応できるようにしても良い。このような場合には、例えば、各超指向性スピーカＳＰ１〜ＳＰＮをそれぞれ、水平角方向及び仰角方向の少なくとも一方にモータ等の駆動力によって揺動し得る揺動部材に取り付け、選択された再生エリアに応じて、制御部がモータを制御して、超指向性スピーカＳＰ１〜ＳＰＮの指向性の向きを変更するようにすれば良い。また、再生エリア毎に動作する超指向性スピーカを定めておき、選択された再生エリアに応じて定まる複数の超指向性スピーカから放音させ、他の超指向性スピーカからの放音を停止するようにしても良い。
【００３０】
音響信号入力部１１は、再生音源（音響信号と呼ぶこともある）を取込むものであり、その取込み方法は、後述の例のように限定されるものではない。ここで、音響信号は、オーディオ信号に限定されず、音声信号など他の音信号であっても良く、要は、再生エリアに音を以て伝達したい情報の信号であれば良い。音響信号入力部１１は、各種収音装置からリアルタイムに音響信号を取込むものであっても良く、また、当該音響再生装置１０に関連して設けられている装置の記憶媒体上のデータファイルから音響信号を取込んだり、インターネット上の配信サーバから音響信号を取込んだりするなど、過去に収音されてデータファイル化された音響信号を取込むものであっても良い。取込んだ音響信号がアナログ信号の場合には、音響信号入力部１１は、デジタル信号に変換する機能をも担う。
【００３１】
第１の実施形態の音響信号分割部１２は、音響信号入力部１１が取込んだ音響信号を、時間方向に分割するものである。分割する時間間隔は、一定であっても良く、また、ランダムな間隔であっても良く、さらに、対象としている音響信号の特徴に応じて決定されるようにしても良い。
【００３２】
一定の時間間隔の場合、その時間間隔は、最長でも、単語として聴取できない間隔であることが好ましい。また、超指向性スピーカの数（Ｎ）が２であれば３００ミリ秒、超指向性スピーカの数（Ｎ）が３であれば２００ミリ秒というように、設置する超指向性スピーカの数（Ｎ）が多ければ多いほど時間間隔を短くするようにしても良い。適用する一定の時間間隔も１種類に限定されない。例えば、２種類の時間間隔をＴ１及びＴ２とした場合、Ｔ１、Ｔ１、Ｔ２、Ｔ２、Ｔ１、Ｔ２、Ｔ１、Ｔ２、…というような間隔で音響信号を任意に分割するようにしても良い。
【００３３】
ランダムな間隔で分割する場合、例えば、０．５から１．５の範囲でランダムな値を得た後、予め定められている一定時間にランダム値を掛けて、ランダムな時間間隔を決定するようにしても良い。また、予め複数の異なる時間間隔を定めておき、そのいずれを適用するかの選択に乱数を利用し、分割する時間間隔の系列がランダムに変化するようにしても良い。
【００３４】
分割する時間間隔の決定に利用できる音響信号の特徴量として、自己相関係数やケプストラムを適用することができる。自己相関係数（自己相関が最も大きくなる時間）に予め定められている定数を乗算して、適用する時間間隔を得るようにしても良い。また、自己相関係数やケプストラム等の特徴量の範囲と、適用する時間間隔とを対応付けたテーブルを用意しておき、今回計算された特徴量が属する範囲の時間間隔を、分割で適用する時間間隔とするようにしても良い。
【００３５】
音響信号分割部１２は、音響信号を分割する際、音響信号をそのまま分断しても良いが、クロスフェード（終了する側の時間間隔はフェードアウトすると共に、新たに開始する側の時間間隔はフェードインする処理）を掛けるように分割することが好ましい。クロスフェードの区間は、例えば、分割時点を中心とした前後合わせて１０ミリ秒間とする。クロスフェードの採用により、各超指向性スピーカからの出力音（放音音）を再生エリア内で聞いた際、異音を発生させず自然な再生音源にすることができる。
【００３６】
音響信号分配部１３は、音響信号分割部１２において時間分割された音響信号を超指向性スピーカの数（Ｎ）に応じて分配し、各超指向性スピーカ用の音響信号（時分割音響信号や放音音響信号と呼ぶこともある）を作成するものである。音響信号分配部１３は、各時分割音響信号における当初の音響信号を有する区間がクロスフェードの区間を除いて重ならないように、各時分割音響信号に作成する（上述した図２参照）。
【００３７】
時間分割された音響信号の各区間を過去側から１、２、３、…と順番を付けた場合、音響信号分配部１３は、例えば、ａ×Ｎ＋１番目（ａは０、１、…の整数）の音響信号区間を有する時分割音響信号を第１の超指向性スピーカＳＰ１用の時分割音響信号とし、ａ×Ｎ＋２番目の音響信号区間を有する時分割音響信号を第２の超指向性スピーカＳＰ２用の時分割音響信号とし、以下同様にして、第３〜第Ｎの超指向性スピーカＳＰ３〜ＳＰＮ用の時分割音響信号を作成する。また例えば、１番目〜Ｎ番目の音響信号区間を、乱数等を用いて第１〜第Ｎの超指向性スピーカＳＰ１〜ＳＰＮ用の時分割音響信号に振分け、Ｎ＋１番目〜２×Ｎ番目の音響信号区間を、乱数等を用いて第１〜第Ｎの超指向性スピーカＳＰ１〜ＳＰＮ用の時分割音響信号に振分け、以下同様に、乱数等を用いた振分けを行って、第１〜第Ｎの超指向性スピーカＳＰ１〜ＳＰＮ用の時分割音響信号を完成させるようにしても良い。
【００３８】
遅延算出部１４、空間座標データ保持部１５及び遅延器１６は、第１〜第Ｎの超指向性スピーカＳＰ１〜ＳＰＮが自己への時分割音響信号に応じて放音した音響が、再生エリアへ同期して到達するようにするために設けられたものである。
【００３９】
空間座標データ保持部１５は、第１〜第Ｎの超指向性スピーカＳＰ１〜ＳＰＮの位置情報と、伝播遅延時間の算出に必要な他の情報（遅延算出情報）とを保持しているものである。例えば、遅延算出情報として、第１〜第Ｎの超指向性スピーカＳＰ１〜ＳＰＮの指向性の方向の情報を挙げることができる。また例えば、遅延算出情報として、再生エリアの位置情報を挙げることができる。
【００４０】
遅延算出部１４は、空間座標データ保持部１５に保持されている情報に基づいて、第１〜第Ｎの超指向性スピーカＳＰ１〜ＳＰＮから再生エリアまでの伝播遅延時間を算出した後、第１〜第Ｎの超指向性スピーカＳＰ１〜ＳＰＮ用の時分割音響信号に付与する遅延時間を算出するものである。遅延算出情報が、各超指向性スピーカＳＰ１〜ＳＰＮの指向性の方向情報の場合には、遅延算出部１４は、各超指向性スピーカＳＰ１〜ＳＰＮの位置情報と指向性の方向情報とから再生エリアの位置を算出して、各超指向性スピーカＳＰ１〜ＳＰＮから再生エリアまでの伝播遅延時間を算出する。遅延算出情報が再生エリアの位置情報の場合には、遅延算出部１４は、各超指向性スピーカＳＰ１〜ＳＰＮの位置情報と再生エリアの位置情報とから、各超指向性スピーカＳＰ１〜ＳＰＮから再生エリアまでの伝播遅延時間を算出する。遅延算出部１４は、例えば、最小の伝播遅延時間を捉え、各超指向性スピーカＳＰ１〜ＳＰＮの伝播遅延時間の、最小の伝播遅延時間からの時間差を遅延時間として算出する。
【００４１】
遅延器１６は、第１〜第Ｎの超指向性スピーカＳＰ１〜ＳＰＮ用の時分割音響信号のそれぞれに対し、遅延算出部１４が算出した遅延時間だけ遅延を付与するものである。
【００４２】
再生エリアが固定であり、超指向性スピーカＳＰ１〜ＳＰＮも固定設置の場合には、再生エリアへの情報伝達毎に遅延時間を算出する構成に代え、遅延時間を保持する遅延時間保持部を設けて、遅延器１６が遅延時間保持部に保持されている遅延時間を第１〜第Ｎの超指向性スピーカＳＰ１〜ＳＰＮ用の時分割音響信号に付与するようにしても良い。
【００４３】
また、再生エリアが円の中心位置にあり、第１〜第Ｎの超指向性スピーカＳＰ１〜ＳＰＮが同一半径の円周上に配置されているような場合など、伝播遅延時間の時間差が問題とならない状況に設けられる音響再生装置であれば、遅延算出部１４、空間座標データ保持部１５及び遅延器１６を省略することができる。
【００４４】
音響信号出力部１７は、第１〜第Ｎの超指向性スピーカＳＰ１〜ＳＰＮ用の時分割音響信号をそれぞれ、対応する超指向性スピーカＳＰ１〜ＳＰＮへ出力するものである。なお、上述した伝播遅延時間の時間差が問題とならない音響再生装置であれば、音響信号出力部１７は、時分割音響信号を出力する超指向性スピーカをランダムに選択することもできる。
【００４５】
（Ｂ−２）第１の実施形態の動作
次に、上述した構成を有する第１の実施形態に係る音響再生装置１０の動作を説明する。図４は、第１の実施形態に係る音響再生装置１０の処理を示すフローチャートである。
【００４６】
放音対象の音響信号は、音響信号入力部１１によって、音響再生装置１０内に取り込まれる（ステップＳ１）。
【００４７】
音響信号入力部１１が取込んだ音響信号は、音響信号分割部１２において、予め定められている分割方法に従って、時間間隔（区間）の境界ではクロスフェードを掛けるように時間方向に分割される（ステップＳ２）。
【００４８】
音響信号分割部１２において時間分割された音響信号は、音響信号分配部１３において、超指向性スピーカの数（Ｎ）に応じて分配され、各超指向性スピーカＳＰ１〜ＳＰＮ用の時分割音響信号が作成される（ステップＳ３）。
【００４９】
各超指向性スピーカＳＰ１〜ＳＰＮ用の時分割音響信号はそれぞれ、遅延器１６において、遅延算出部１４が空間座標データ保持部１５に保持されている情報を利用して算出した遅延時間分だけ遅延が付与される（ステップＳ４）。
【００５０】
遅延付与後の各超指向性スピーカＳＰ１〜ＳＰＮ用の時分割音響信号はそれぞれ、音響信号出力部１７によって、対応する超指向性スピーカＳＰ１〜ＳＰＮへ与えられ、超指向性スピーカＳＰ１〜ＳＰＮの指向性の方向へ放音される（ステップＳ５）。
【００５１】
音響再生装置１０の動作から離れるが、各超指向性スピーカＳＰ１〜ＳＰＮから放音された全ての時分割音響は再生エリアで重なり、再生エリアにいる聴取者は、全ての時分割音響を聴取することができる。時分割音響の一つ一つは情報が欠落していても他の時分割音響が欠落区間の情報を埋め合わせるので、その結果、聴取者は、当初の再生音源と同じ情報を聴取することができる。
【００５２】
再生エリア以外の他のエリアのうち、いずれの超指向性スピーカＳＰ１〜ＳＰＮの指向性の方向上にないエリアでは、一つの時分割音響をも聴取することができず、当然に、当初の再生音源が有する情報を聴取できない。
【００５３】
また、再生エリア以外の他のエリアのうち、超指向性スピーカＳＰ１〜ＳＰＮのいずれか一つの指向性の方向上にあるエリアでは、一つの時分割音響を聴取することができる。しかし、一つの時分割音響は、当初の再生音源が有する情報のごくごく一部しか含まれておらず、聴取しても、当初の再生音源が有する情報を聴取者は認識することができない。
【００５４】
上記説明では、第１〜第Ｎの超指向性スピーカＳＰ１〜ＳＰＮ用の時分割音響信号が全て異なる場合を示したが、同じ時分割音響信号を複数の超指向性スピーカ用の信号とするようにしても良い。この場合には、例えば、同じ数の逆数だけ、時分割音響信号のレベルを小さくし、再生エリアで混合されたときに、元のレベルに戻るようにすることを要する（後述する第４の実施形態参照）。
【００５５】
（Ｂ−３）第１の実施形態の効果
第１の実施形態によれば、複数の超指向性スピーカを再生エリアだけで指向性が重なるように配置し、再生音源（音響信号）を時間分割し、各超指向性スピーカに分配して放音させるという簡単な処理により、音情報を再生エリアだけに伝達することができる。
【００５６】
かかる効果を奏するための超指向性スピーカの数は２個であっても良く、超指向性スピーカ数を少なく抑えることができる。
【００５７】
また、再生エリアだけで指向性が重なるように複数の超指向性スピーカを配置すれば良く、再生エリアだけで指向性が重なるという条件さえ満たせば、各超指向性スピーカの位置は任意の位置で良い。
【００５８】
（Ｃ）第２の実施形態
次に、本発明による音響再生装置及びプログラムの第２の実施形態を、図面を参照して説明する。
【００５９】
上述した第１の実施形態の音響再生装置１０は、Ｎ台（２台以上）の超指向性スピーカＳＰ１〜ＳＰＮによって、１つの再生エリアにおける情報伝達を行うものであった。
【００６０】
この第２の実施形態の音響再生装置１０Ａは、固定設置のＮ台の超指向性スピーカＳＰ１〜ＳＰＮによって、複数の再生エリアにおける情報伝達を可能としたものである。このような複数の再生エリアにおける情報伝達を可能とするため、第２の実施形態の音響再生装置１０Ａでは、直線上に進行している音響を所定方向に反射する反射部材を利用する。因みに、超指向性スピーカから放音された音響は直進性が強く、遮蔽物にぶつかると反射するという性質があり、反射部材を利用可能である。
【００６１】
図５（Ａ）は、反射部材ＲＥＦを利用することにより、２つの超指向性スピーカＳＰ１及びＳＰ２によって、３つの再生エリアＡＲ１〜ＡＲ３に音響情報を伝達できることの説明図である。図５（Ｂ）は、図５（Ａ）との比較のための図であり、反射部材ＲＥＦを利用しない３つの再生エリアを作成する場合を示している（なお、図５（Ｂ）も本発明の一つの実施形態となっている）。図５を用いた説明では、指向性方向に進行する音響を音響ビームと呼ぶこととする。
【００６２】
反射部材ＲＥＦは、第１の超指向性スピーカＳＰ１からの音響ビームを２分し、一方の分離音響ビーム（第１の反射音響ビームと呼ぶ）を、入力された音響ビームの進行方向から時計回りに１３５度だけ異なる進行方向を有するように反射すると共に、他方の分離音響ビーム（第２の反射音響ビームと呼ぶ）を、入力された音響ビームの進行方向から反時計回りに１３５度だけ異なる進行方向を有するように反射するものである。
【００６３】
第１の再生エリアＡＲ１は、反射部材ＲＥＦに至る前の第１の超指向性スピーカＳＰ１からの音響ビームと、第２の超指向性スピーカＳＰ２からの音響ビームとが共に通過するエリアである。第２の再生エリアＡＲ２は、第１の反射音響ビームと、第２の超指向性スピーカＳＰ２からの音響ビームとが共に通過するエリアである。第３の再生エリアＡＲ３は、第２の反射音響ビームと、第２の超指向性スピーカＳＰ２からの音響ビームとが共に通過するエリアである。第１の超指向性スピーカＳＰ１からの音響ビームにおける音響が含まれている有効区間や、第２の超指向性スピーカＳＰ２からの音響ビームにおける音響が含まれている有効区間を適宜制御することにより、第１〜第３の再生エリアＡＲ１〜ＡＲ３のいずれかで再生音源の情報を伝達させることができる。
【００６４】
以上のように、反射部材ＲＥＦを用いて音響を反射させることにより、複数の再生エリアを作り出すことができる。図５（Ａ）及び図５（Ｂ）の比較から明らかなように、同数の再生エリアを作成する場合、反射部材を利用する方が超指向性スピーカの数を少なくすることができる。
【００６５】
ここで、反射部材ＲＥＦは、音響ビームを反射する材質であれば、どのような材質のもの使用しても良い。また、反射部材を複数配置し、一度反射した音響ビームを別の反射部材でさらに反射させるようにしても良い。このような反射部材の利用により、障害物が存在する空間において、障害物を避けて音響ビームを進行させるようなこともできる。以上の説明では、反射部材ＲＥＦも、第１及び第２の超指向性スピーカＳＰ１及びＳＰ２と同様に固定設置されているように説明したが、例えば、反射部材ＲＥＦを水平角方向に回動できるように設け、第２及び第３の再生エリアＡＲ２及びＡＲ３の位置を変更できるようにしても良い。
【００６６】
図６は、複数の超指向性スピーカに加えて反射部材を設置して複数の再生エリアに再生音源を伝達する、第２の実施形態に係る音響再生装置１０Ａの構成を示すブロック図である。図６において、第１の実施形態に係る図３との同一、対応部分には同一符号を付して示している。
【００６７】
図６において、第２の実施形態の音響再生装置１０Ａは、Ｎ台の超指向性スピーカＳＰ１〜ＳＰＮ、音響信号入力部１１、音響信号分割部１２、音響信号分配部１３、遅延算出部１４、空間座標データ保持部１５、遅延器１６及び音響信号出力部１７に加え、遅延器１６と音響信号出力部１７との間に音響信号混合部１８を備える。
【００６８】
音響信号入力部１１は、再生エリアの数と同じ数（ｍ）だけ、再生音源（音響信号）ＳＩＧ１〜ＳＩＧｍを取込むものである。異なる再生エリアに伝達する音響信号が同じでも良い場合には、音響信号の取り込み数は、再生エリアの数より少なくても良い。
【００６９】
音響信号分割部１２は、音響信号入力部１１が取り込んだ各音響信号ＳＩＧ１〜ＳＩＧｍに対する並列処理で、第１の実施形態と同様に、音響信号を時間方向に分割する。
【００７０】
音響信号分配部１３は、時間分割後の各音響信号に対する並列処理で、第１の実施形態と同様に、時間分割された音響信号を超指向性スピーカの数（Ｎ）に応じて分配し、各超指向性スピーカ用の音響信号を作成するものである。
【００７１】
後述する音響信号混合部１８が、音響信号毎の第１〜第Ｎの超指向性スピーカＳＰ１〜ＳＰＮ用の時分割音響信号を、同一の超指向性スピーカから放音させる信号毎に混合したとき、混合後のどの超指向性スピーカ用の音響信号も概ね時分割多重信号となっているように、音響信号分割部１２の時間方向の分割と、音響信号分配部１３の分配とを行うようにすれば良い。３種類の音響信号をＡ、Ｂ、Ｃとし、同じ間隔でそれぞれ３分割し、Ａ１〜Ａ３、Ｂ１〜Ｂ３、Ｃ１〜Ｃ３になったとする。後述する混合されたときに（後述する遅延付与はここでは無視する）、第１の超指向性スピーカＳＰ１用の混合信号はＡ１、Ｂ２及びＣ３を含み、第２の超指向性スピーカＳＰ２用の混合信号はＢ１、Ｃ２及びＡ３を含み、第３の超指向性スピーカＳＰ３用の混合信号はＣ１、Ａ２及びＢ３を含むように、音響信号分配部１３が分配すれば良い。このようにしたときには混合後信号における無信号期間を最小限に抑えることが可能となる。
【００７２】
空間座標データ保持部１５は、例えば、各超指向性スピーカＳＰ１〜ＳＰＮの位置及び指向性方向、各反射部材の位置及び反射面の向き等の再生エリアを算出できる情報を保持している。また、空間座標データ保持部１５は、原点の位置情報や、原点を通る基準線の情報も備えている。
【００７３】
遅延算出部１４は、空間座標データ保持部１５に保持されている情報に基づき、各再生エリアの位置を算出した後、各超指向性スピーカから放音された音響が各再生エリアに到達するまでの時間差を算出する。遅延算出部１４は、各再生エリアを原点からの距離に基づいて（距離が同じ場合には、基準線と、原点及び再生エリアを結ぶ線がなす角度に基づいて）、再生エリアに、音響信号入力部１１が取り込んだ各音響信号ＳＩＧ１〜ＳＩＧｍに対応付ける番号を付与する。なお、第１の実施形態でも言及したように、再生エリアの位置を算出するのではなく、空間座標データ保持部１５に再生エリアの位置情報を格納しておくようにしても良く、この場合には、音響信号との対応情報をも、空間座標データ保持部１５に保持しておくようにしても良い。
【００７４】
遅延器１６は、各再生エリアに対応する各音響信号に対する並列処理で、遅延時間の付与を行う。ある再生エリアに対する音響信号を認識すると、遅延器１６は、音響信号分配部１３から出力されたその音響信号についての第１〜第Ｎの超指向性スピーカＳＰ１〜ＳＰＮ用の時分割音響信号のそれぞれに対し、遅延算出部１４が算出した該当する再生エリアについての遅延時間だけ遅延を付与する。
【００７５】
音響信号混合部１８は、遅延器１６から出力された音響信号毎の第１〜第Ｎの超指向性スピーカＳＰ１〜ＳＰＮ用の時分割音響信号を、同一の超指向性スピーカから放音させる信号毎に混合するものである。例えば、音響信号がｍ種類の場合、遅延器１６から出力された第１の超指向性スピーカＳＰ１用の時分割音響信号もｍ個あるが、音響信号混合部１８は、これらｍ個の第１の超指向性スピーカＳＰ１用の時分割音響信号を混合し、一つの第１の超指向性スピーカＳＰ１用の信号にまとめ上げる。他の第２〜第Ｎの超指向性スピーカＳＰ１〜ＳＰＮ用の時分割音響信号に対しても、音響信号混合部１８は、同様な処理を行う。
【００７６】
音響信号出力部１７は、混合処理後の第１〜第Ｎの超指向性スピーカＳＰ１〜ＳＰＮ用の時分割音響信号をそれぞれ、対応する超指向性スピーカＳＰ１〜ＳＰＮへ与えて放音させる。
【００７７】
第２の実施形態によれば、複数の再生エリアに対して異なる再生音源を同時に伝達することができ、しかも、再生音源に対応している再生エリア以外では伝達のセキュリティを確保することができる。
【００７８】
第２の実施形態の変形実施形態として、例えば、以下のものを挙げることができる。
【００７９】
図５（Ｂ）に示すような反射部材を用いずに複数の再生エリアへの異なる再生音源の伝達にも、図６に示すブロック構成を適用することができる。但し、混合する信号の数や音響信号の分配方法などは、上述の場合と異なる。しかし、これらについては、容易に理解できるので、その説明は省略する。
【００８０】
第２の実施形態の音響再生装置１０Ａは、複数の再生エリアに対して異なる再生音源を同時に伝達するものであったが、各再生エリアに択一的にその再生エリア対応の再生音源を伝達するようにしても良い。
【００８１】
（Ｄ）第３の実施形態
次に、本発明による音響再生装置及びプログラムの第３の実施形態を、図面を参照して説明する。
【００８２】
第１及び第２の実施形態の音響再生装置は共に、各超指向性スピーカから放音される音響は、単独で聞いても意味をなさない。しかし、その放音音響の聴取者によって、なんらかの音声情報であると認識されて注意を惹いた場合、不快感を与えてしまう可能性がある。
【００８３】
そこで、第３の実施形態の音響再生装置では、背景雑音（例えば、再生エリアが存在する空間の背景雑音）を、各超指向性スピーカからの放音音響に重畳してマスクすることにより、再生エリア以外で聴取したものが、各超指向性スピーカからの情報伝達用の放音音響の存在を気付き難くしようとしたものである。
【００８４】
図７は、第３の実施形態に係る音響再生装置１０Ｂの構成を示すブロック図である。図７において、第１の実施形態に係る図３との同一、対応部分には同一符号を付して示している。
【００８５】
図７において、第３の実施形態の音響再生装置１０Ｂは、Ｎ台の超指向性スピーカＳＰ１〜ＳＰＮ、音響信号入力部１１、音響信号分割部１２、音響信号分配部１３、遅延算出部１４、空間座標データ保持部１５、遅延器１６及び音響信号出力部１７に加え、雑音捕捉用マイクロホンＭＩＣ、背景雑音収音部１９、雑音データ保持部２０及び雑音混合部２１を備える。なお、第３の実施形態の場合、超指向性スピーカＳＰ１〜ＳＰＮの数Ｎは２以上の偶数であることが好ましい。
【００８６】
雑音捕捉用マイクロホンＭＩＣは、例えば、全指向性マイクロホンであり、再生エリアを含む空間の背景雑音を捕捉するものである。雑音捕捉用マイクロホンＭＩＣは、超指向性スピーカＳＰ１〜ＳＰＮの指向性に入らない位置に設置する。また、雑音捕捉用マイクロホンＭＩＣは、複数設置されても良く、択一的、若しくは、並行的（重畳的）に捕捉した背景雑音を入力するようにしても良い。
【００８７】
雑音データ保持部２０は、背景雑音のデータを保持しているものである。雑音データ保持部２０が保持している背景雑音データは、雑音捕捉用マイクロホンＭＩＣが捕捉して得たものであっても良く、図示しないマイクロホンが捕捉したものであっても良い。言い換えると、再生エリアが存在する空間の背景雑音であっても良く、再生エリアに無関係な空間の背景雑音であっても良い。
【００８８】
背景雑音収音部１９は、第１〜第Ｎの超指向性スピーカＳＰ１〜ＳＰＮ用の時分割音響信号に重畳（混合）させる背景雑音を遅延器１６に与えるものである。背景雑音収音部１９は、例えば、図示しない外部（選択キーなど）から与えられた選択制御信号に応じて、雑音捕捉用マイクロホンＭＩＣからの背景雑音、又は、雑音データ保持部２０が保持している背景雑音のデータを選択して遅延器１６に与える。なお、雑音捕捉用マイクロホンＭＩＣからの背景雑音を選択する場合には、背景雑音収音部１９は、アナログ信号でなる背景雑音をデジタル信号に変換することを要する。図７では、雑音捕捉用マイクロホンＭＩＣ及び雑音データ保持部２０を共に備える音響再生装置１０Ｂを示しているが、雑音捕捉用マイクロホンＭＩＣ又は雑音データ保持部２０の一方のみを備えるものであっても良い。
【００８９】
第３の実施形態の場合、遅延器１６は、第１〜第Ｎの超指向性スピーカＳＰ１〜ＳＰＮ用の時分割音響信号に対する遅延付与に加え、背景雑音収音部１９から与えられた背景雑音に対する遅延付与を行う。背景雑音に対する遅延付与機能は、以下の通りである。遅延器１６は、入力された背景雑音をＮ分岐し（なお、レベル低下が生じないようにＮ分岐する）、分岐されたそれぞれに対し、第１〜第Ｎの超指向性スピーカＳＰ１〜ＳＰＮ用の時分割音響信号に付与する遅延時間だけ遅延を付与し、第１〜第Ｎの超指向性スピーカＳＰ１〜ＳＰＮ用の背景雑音を形成する。
【００９０】
雑音混合部２１は、情報伝達用の音響信号と背景雑音とを混合する。雑音混合部２１は、再生エリアの外においては、情報伝達用の音響信号と背景雑音のパワーが等しい、若しくは、背景雑音のパワーの方が大きくなるように混合する。言い換えると、再生エリア外における混合比率が、例えば、ＳＮ比で表すと０ｄＢ、若しくは、それ以下となるようにする。例えば、雑音混合部２１は、まず、第１〜第Ｎの超指向性スピーカＳＰ１〜ＳＰＮ用の背景雑音のうち、偶数番目（第２、第４、…）の超指向性スピーカＳＰ２、ＳＰ４、…用の背景雑音を反転させて逆位相の信号とするが、奇数番目（第１、第３、…）の超指向性スピーカＳＰ１、ＳＰ３、…用の背景雑音をそのままとする。その後、同一の超指向性スピーカ用の時分割音響信号と背景雑音とを合成し、背景雑音付き時分割音響信号を形成して音響信号出力部１７に与える。
【００９１】
なお、超指向性スピーカＳＰ１〜ＳＰＮの数Ｎは３以上の奇数の場合には、再生エリアにおいて、混合された背景雑音が存在しないと同様になるように、偶数番目用と、位相反転されている奇数番目用とで異なる重み係数を適用し、背景雑音のパワーを変更するようにしても良い。
【００９２】
音響信号出力部１７は、第１〜第Ｎの超指向性スピーカＳＰ１〜ＳＰＮ用の背景雑音付きの時分割音響信号をそれぞれ、対応する超指向性スピーカＳＰ１〜ＳＰＮへ与えて放音させる。
【００９３】
各超指向性スピーカＳＰ１〜ＳＰＮから放音された全ての背景雑音付きの時分割音響は再生エリアで重なる。偶数番目の超指向性スピーカから放音された背景雑音付きの時分割音響における背景雑音は、奇数番目の超指向性スピーカから放音された背景雑音付きの時分割音響における背景雑音と逆位相となっているので、両背景雑音は相殺され、全ての時分割音響だけが残り、聴取者は全ての時分割音響を聴取することができる。その結果、第１の実施形態で説明したのと同様に、聴取者は、当初の再生音源と同じ情報を聴取することができる。
【００９４】
再生エリア以外の他のエリアのうち、超指向性スピーカＳＰ１〜ＳＰＮのいずれか一つの指向性の方向上にあるエリアでは、背景雑音と共に一つの時分割音響を聴取することができる。背景雑音が存在するため、時分割音響が強弱があっても、聴取者は、その時分割音響をさほど意識することなく聴取する。
【００９５】
第３の実施形態によれば、再生エリアに対してのみ再生音源を伝達するという伝達のセキュリティを確保した上で、そのための時分割音響が背景雑音に埋もれて、再生エリア外で聴取者に不快感を与えることを軽減することができる。
【００９６】
上記では、第１の実施形態の構成をベースとし、第３の実施形態の特徴を導入したものを示したが、第２の実施形態の構成をベースとし、第３の実施形態の特徴を導入するようにしても良い。
【００９７】
（Ｅ）第４の実施形態
次に、本発明による音響再生装置及びプログラムの第４の実施形態を、図面を参照して説明する。
【００９８】
第４の実施形態の音響再生装置も、上述した第３の実施形態の音響再生装置１０Ｂと同様に、再生エリア外で各超指向性スピーカから放音された音響を聴取した聴取者に、不快感を与えることを防止しようとしたものである。しかし、不快感を与えることを防止するための具体的な方法が、第３の実施形態の音響再生装置１０Ｂとは異なっている。第４の実施形態の音響再生装置は、再生エリア外では各超指向性スピーカから放音された音響のレベルが背景雑音レベルに埋もれるようにして、聴取者に不快感を与えることを防止する。
【００９９】
図８は、第４の実施形態に係る音響再生装置１０Ｃの構成を示すブロック図である。図８において、第１の実施形態に係る図３や第３の実施形態に係る図７との同一、対応部分には同一符号を付して示している。
【０１００】
図８において、第４の実施形態の音響再生装置１０Ｃは、Ｎ台の超指向性スピーカＳＰ１〜ＳＰＮ、音響信号入力部１１、音響信号分割部１２、音響信号分配部１３、遅延算出部１４、空間座標データ保持部１５、遅延器１６、音響信号出力部１７、雑音捕捉用マイクロホンＭＩＣ及び背景雑音収音部１９に加え、音響信号減衰部２２を備える。
【０１０１】
第４の実施形態の音響信号分配部１３も、分配処理により、第１〜第Ｎの超指向性スピーカＳＰ１〜ＳＰＮ用の時分割音響信号を形成する。しかし、第１の実施形態の音響信号分配部１３とは異なり、Ｎ個の時分割音響信号全てが異なるものではなく、同じ時分割音響信号が異なる複数の超指向性スピーカに対応付けられるように、第１〜第Ｎの超指向性スピーカＳＰ１〜ＳＰＮ用の時分割音響信号を形成する。例えば、Ｎが５の場合において、第１及び第２の超指向性スピーカＳＰ１及びＳＰ２用の時分割音響信号として同じ時分割音響信号を形成し、第３〜第５の超指向性スピーカＳＰ３〜ＳＰ５用の時分割音響信号として同じ時分割音響信号を形成する。ここで、前者の時分割音響信号と、後者の時分割音響信号とは異なっている。例えば、第１及び第２の超指向性スピーカＳＰ１及びＳＰ２用の時分割音響信号として同じ時分割音響信号を形成した場合、形成後の時分割音響信号のレベル（有音区間のレベル）は、分配前の音響信号のレベルと同じであっても良く、また、分配前の音響信号のレベルの１／２であっても良い（分母の「２」は、同じ時分割音響信号の放音に供する超指向性スピーカの数である）。以下では、前者であるとして説明する。
【０１０２】
遅延算出部１４、空間座標データ保持部１５及び遅延器１６はそれぞれ、第１の実施形態のものと同様なものである。
【０１０３】
雑音捕捉用マイクロホンＭＩＣ及び背景雑音収音部１９はそれぞれ、第３の実施形態のものと同様なものである。なお、第４の実施形態の音響再生装置１０Ｃの場合、第３の実施形態とは異なり、雑音データ保持部２０が設けられていないので、背景雑音収音部１９は、常時、雑音捕捉用マイクロホンＭＩＣが捕捉した背景雑音を取込む。
【０１０４】
音響信号減衰部１８は、背景雑音収音部１９で取得した背景雑音のレベル（例えば、所定時間当たりのサンプル値の２乗和）を算出し、その値に基づいて、遅延器１６から与えられた第１〜第Ｎの超指向性スピーカＳＰ１〜ＳＰＮ用の時分割音響信号に対する減衰量を決定し、第１〜第Ｎの超指向性スピーカＳＰ１〜ＳＰＮ用の時分割音響信号を減衰する。例えば、各時分割音響信号を放音する超指向性スピーカの数が異なる場合には、再生エリアで足し合わさったとき、各時分割音響の音量が同じになるように調節する。つまり、時分割音響信号ＡＡを第１及び第２の超指向性スピーカＳＰ１及びＳＰ２が放音し、時分割音響信号ＢＢを第３〜第５の超指向性スピーカＳＰ３〜ＳＰ５が放音する場合、第１及び第２の超指向性スピーカＳＰ１及びＳＰ２からの放音音響を足し合わせた音量と、第３〜第５の超指向性スピーカＳＰ３〜ＳＰ５を足し合わせた音量が等しく、かつ、全てのＳＮ比が０ｄＢ以下になるように減衰する。
【０１０５】
例えば、以下の手順により、減衰量等を定める。まず最初に、同一の時分割音響信号を放音する超指向性スピーカの数が最も少ない時分割音響信号を認識し、その時分割音響信号のレベルをスピーカ数で割った減衰後のレベルを推定する。この推定された減衰後の時分割音響信号レベルが、背景雑音レベルに埋もれているか否かを確認する（背景雑音レベルの所定倍以下になっているか否かを確認する）。埋もれていれば、推定された減衰後の時分割音響信号レベルになるように減衰する。埋もれていない場合には、埋もれるような減衰率を決定する。決定された減衰率を適用した時分割音響信号レベルに基づき、再生エリアでの、その時分割音響信号に放音音量のレベルを計算し、他の時分割音響信号での再生エリアの放音音量レベルに設定し、他の時分割音響信号の減衰率を決定する。
【０１０６】
第４の実施形態によれば、放音される時分割音響信号のレベルを下げると共に、同じ時分割音響信号を複数の超指向性スピーカから同時に放音させるようにしたので、再生エリアに対してのみ再生音源を伝達するという伝達のセキュリティを確保した上で、そのための時分割音響が背景雑音に埋もれて、再生エリア外で聴取者に不快感を与えることを軽減することができる。
【０１０７】
上記では、第１の実施形態の構成をベースとし、第４の実施形態の特徴を導入したものを示したが、第２の実施形態の構成をベースとし、第４の実施形態の特徴を導入するようにしても良い。
【０１０８】
上記では、背景雑音のレベルを、分配された後の時分割音響信号の減衰率に反映させるものを示したが、これに代え（若しくは、これに加え）、音響信号分配部１３に背景雑音のレベルを与えて、同じ時分割音響信号を放音する超指向性スピーカの数を、背景雑音のレベルに応じて変更するようにしても良い。
【０１０９】
（Ｆ）第５の実施形態
次に、本発明による音響再生装置及びプログラムの第５の実施形態を、図面を参照して説明する。
【０１１０】
第１〜第４の実施形態の音響再生装置は、超指向性スピーカから、当初の音響信号（再生音源）をそのまま含む区間（有音区間）と、当初の音響信号（再生音源）を一切含まない区間（無音区間）とを時間方向に含む、レベル変化が２段階の時分割音響信号を放音するものであった。クロスフェードを適用しているとはいえ、レベル変化の飛び跳ねが大きく、この観点で、再生エリア外で聴取した聴取者に不快感を与える恐れが大きいものであった。第５の実施形態の音響再生装置は、レベル変化を３段階以上とし、レベル変化の飛び跳ね量を抑えようとしたものである。
【０１１１】
図９は、第５の実施形態に係る音響再生装置１０Ｄの構成を示すブロック図である。図９において、第１の実施形態に係る図３との同一、対応部分には同一符号を付して示している。
【０１１２】
図９において、第５の実施形態の音響再生装置１０Ｄは、第１の実施形態の音響再生装置１０に比較すると、音響信号分割部１２が音響信号分岐部２３に置き換えられ、音響信号分配部１３が段階ゲイン乗算部２４に置き換えられている。
【０１１３】
音響信号分岐部２３は、入力された音響信号を超指向性スピーカＳＰ１〜ＳＰＮの数に分岐するものである。各分岐音響信号のレベルは、入力された音響信号のレベルと同じであっても良く、また、入力された音響信号のレベルの１／Ｎであっても良い。以下では、前者であるとして説明する。
【０１１４】
段階ゲイン乗算部２４は、各分岐音響信号に対して、超指向性スピーカＳＰ１〜ＳＰＮ毎に定まっている段階状のゲインを乗算して、第１〜第Ｎの超指向性スピーカＳＰ１〜ＳＰＮ用の音響信号を形成するものである。
【０１１５】
図１０は、超指向性スピーカＳＰ１〜ＳＰＮの数Ｎが５の場合の段階状ゲインの一例を示している。図１０に示す段階状ゲインは、時間Ｔを周期として繰り返すものであり、１周期を８等分した時間Ｔ／８ごとにゲインを０．０、０．１、０．２、０．３、０．４、０．３、０．２、０．１と変化させるものである。ここで、第１〜第５の超指向性スピーカＳＰ１〜ＳＰＮ用の段階状ゲインの形状は同じであるが、位相が異なっており、第１〜第５の超指向性スピーカＳＰ１〜ＳＰＮ用の段階状ゲインの和は常時１．０になるようになされている。例えば、第１の超指向性スピーカＳＰ１用の段階状ゲインが５番目のＴ／８の０．４をとっている同じ時間で、第２の超指向性スピーカＳＰ２用の段階状ゲインが４番目のＴ／８の０．３をとり、第３の超指向性スピーカＳＰ３用の段階状ゲインが３番目のＴ／８の０．２をとり、第４の超指向性スピーカＳＰ４用の段階状ゲインが２番目のＴ／８の０．１をとり、第５の超指向性スピーカＳＰ５用の段階状ゲインが１番目のＴ／８の０．０をとる。第１〜第５の超指向性スピーカＳＰ１〜ＳＰＮ用の段階状ゲインは、このようなＴ／８ずつ異なるという位相関係を保って変化する。
【０１１６】
遅延算出部１４、空間座標データ保持部１５、遅延器１６及び音響信号出力部１７は、第１の実施形態のものと同様である。
【０１１７】
段階状ゲインが乗算され、さらに、遅延が付与された各超指向性スピーカＳＰ１〜ＳＰＮ用の音響信号が、対応する超指向性スピーカＳＰ１〜ＳＰＮから放音されたとする。
【０１１８】
各超指向性スピーカＳＰ１〜ＳＰＮから放音された全ての音響は再生エリアで重なり、再生エリアにいる聴取者は、全ての音響を聴取することができる。再生エリアに到達した音響の一つ一つのゲインは異なるが、全ての音響のゲインは１であるので、その結果、聴取者は、当初の再生音源と同じ情報を聴取することができる。
【０１１９】
再生エリア以外の他のエリアのうち、超指向性スピーカＳＰ１〜ＳＰＮのいずれか一つの指向性の方向上にあるエリアでは、一つの音響を聴取することができる。しかし、聴取される音響は、最大レベルでも、当初の再生音源が有するレベルよりかなり小さく（図１０の例の場合、０．４）、しかも、段階状に変化していて認識できないレベルも多くの期間でとるので、聴取しても、当初の再生音源が有する情報を聴取者は認識することができない。また、聴取される音響は段階状のレベル変化しているため、レベルの切替り時における飛び跳ねも小さく、聴取者に不快感を与えることを抑制することができる。
【０１２０】
上記では、第１の実施形態の構成をベースとし、第５の実施形態の特徴を導入したものを示したが、第１の実施形態以外の既述した実施形態の構成をベースとし、第５の実施形態の特徴を導入するようにしても良い。
【０１２１】
（Ｇ）第６の実施形態
次に、本発明による音響再生装置及びプログラムの第６の実施形態を、図面を参照して説明する。
【０１２２】
第１〜第４の実施形態の音響再生装置は、再生音源（音響信号）の情報を、複数の超指向性スピーカに振り分ける観点が時分割のものであり、第５の実施形態の音響再生装置は、再生音源（音響信号）の情報を、複数の超指向性スピーカに振り分ける観点が音量分割のものであった。この第６の実施形態に係る音響再生装置は、再生音源（音響信号）の情報を、複数の超指向性スピーカに振り分ける観点が帯域分割のものである。
【０１２３】
図１１は、第６の実施形態に係る音響再生装置１０Ｅの構成を示すブロック図である。図１１において、第１の実施形態に係る図３や第５の実施形態に係る図９との同一、対応部分には同一符号を付して示している。
【０１２４】
図１１において、第６の実施形態の音響再生装置１０Ｅは、第１の実施形態の音響再生装置１０に比較すると、音響信号分割部１２が音響信号分岐部２３に置き換えられ、音響信号分配部１３が音響帯域制限部２５に置き換えられている。
【０１２５】
音響信号分岐部２３は、第５の実施形態のものと同様に、入力された音響信号を超指向性スピーカＳＰ１〜ＳＰＮの数に分岐するものである。以下では、各分岐音響信号のレベルは、入力された音響信号のレベルと同じであるとして説明する。
【０１２６】
音響帯域制限部２５は、各分岐音響信号に対して、超指向性スピーカＳＰ１〜ＳＰＮ毎に定まっている帯域制限を行って、第１〜第Ｎの超指向性スピーカＳＰ１〜ＳＰＮ用の音響信号（音響信号成分）を形成するものである。音響帯域制限部２５は、例えば、超指向性スピーカＳＰ１〜ＳＰＮの数Ｎと同じ数のデジタルフィルタ（低域通過フィルタ、帯域通過フィルタ、高域通過フィルタのいずれかとして機能する；低域通過フィルタ又は高域通過フィルタに代えて帯域通過フィルタを適用するようにしても良い）を備え、各分岐音響信号を対応するデジタルフィルタを通過させることで異なる帯域成分だけを有する第１〜第Ｎの超指向性スピーカＳＰ１〜ＳＰＮ用の音響信号を形成する。第１〜第Ｎの超指向性スピーカＳＰ１〜ＳＰＮ用の音響信号の帯域が異なるが、第１〜第Ｎの超指向性スピーカＳＰ１〜ＳＰＮ用の音響信号の全ての帯域を併せると、当初の音響信号（再生音源）が有する全帯域をカバーするように、音響帯域制限部２５は、帯域制限処理を行う。上述したデジタルフィルタの部分は、アナログ的なフィルタを適用するようにしても良い。
【０１２７】
上記では、帯域制限フィルタを用いて、担当帯域が異なる第１〜第Ｎの超指向性スピーカＳＰ１〜ＳＰＮ用の音響信号（音響信号成分）を形成するものを示したが、他の方法によって、担当帯域が異なる第１〜第Ｎの超指向性スピーカＳＰ１〜ＳＰＮ用の音響信号を形成するようにしても良い。例えば、ＦＦＴ（高速フーリエ変換）を利用して、担当帯域が異なる第１〜第Ｎの超指向性スピーカＳＰ１〜ＳＰＮ用の音響信号を形成するようにしても良い。
【０１２８】
図１２は、ＦＦＴ（高速フーリエ変換）を利用する変形例の音響再生装置の一部構成を示すブロック図である。図１２は、音響信号入力部１１から遅延器１６に至るまでの構成を示しており、遅延器１６以降の構成は、図１１と同様である。
【０１２９】
図１２に示す音響再生装置１０Ｆは、音響信号入力部１１から遅延器１６までの間に、ＦＦＴ処理部２６、ＦＦＴポイント分配部２７及び逆ＦＦＴ処理部２８を有する。
【０１３０】
ＦＦＴ処理部２６は、入力された音響信号（再生音源）をＦＦＴにより周波数軸上の信号（以下、ＦＦＴ信号と呼ぶ）に変換するものである。ここで、例えば、ＦＦＴ信号のＦＦＴポイント数は、第１〜第Ｎの超指向性スピーカＳＰ１〜ＳＰＮの数Ｎの整数倍が好ましい。
【０１３１】
ＦＦＴポイント分配部２７は、ＦＦＴ信号の全てのポイントをＮ個に分配し、第１〜第Ｎの超指向性スピーカＳＰ１〜ＳＰＮ用のＦＦＴ信号を形成する。例えば、ＦＦＴ処理部２６によって得られたＦＦＴ信号のポイント数がｐ×Ｎの場合、ＦＦＴポイント分配部２７は、ｐ×Ｎポイントから抽出したｐポイントの情報により、第１の超指向性スピーカＳＰ１用のＦＦＴ信号を形成し、残ったｐ×（Ｎ−１）ポイントから抽出したｐポイントの情報により、第２の超指向性スピーカＳＰ１用のＦＦＴ信号を形成し、以下、同様にして、第３〜第Ｎの超指向性スピーカＳＰ３〜ＳＰＮ用のＦＦＴ信号を形成する。ここで、抽出するｐポイントは、連続するｐポイントであっても良く、飛び飛びで計ｐポイントであっても良い。
【０１３２】
逆ＦＦＴ処理部２８は、第１〜第Ｎの超指向性スピーカＳＰ１〜ＳＰＮ用のＦＦＴ信号のそれぞれに対して、逆ＦＦＴ処理を施して、第１〜第Ｎの超指向性スピーカＳＰ１〜ＳＰＮ用の音響信号（音響信号成分）を得る。
【０１３３】
遅延算出部１４、空間座標データ保持部１５、遅延器１６及び音響信号出力部１７は、第１の実施形態のものと同様である。
【０１３４】
帯域制限され、さらに、遅延が付与された各超指向性スピーカＳＰ１〜ＳＰＮ用の音響信号が、対応する超指向性スピーカＳＰ１〜ＳＰＮから放音されたとする。
【０１３５】
各超指向性スピーカＳＰ１〜ＳＰＮから放音された全ての帯域制限されている音響は再生エリアで重なり、再生エリアにいる聴取者は、全ての帯域制限されている音響を聴取することができる。再生エリアに到達した音響の一つ一つは担当帯域は異なるが、全ての音響を併せた帯域は当初の再生音源の帯域と同様であるので、その結果、聴取者は、当初の再生音源と同じ情報を聴取することができる。
【０１３６】
再生エリア以外の他のエリアのうち、超指向性スピーカＳＰ１〜ＳＰＮのいずれか一つの指向性の方向上にあるエリアでは、一つの音響を聴取することができる。しかし、聴取される音響は、一部の帯域しか備えないので、聴取しても、当初の再生音源が有する情報を聴取者は認識することができない。
【０１３７】
上記では、第１の実施形態の構成をベースとし、第６の実施形態の特徴を導入したものを示したが、第１の実施形態以外の既述した実施形態の構成をベースとし、第６の実施形態の特徴を導入するようにしても良い。
【０１３８】
（Ｈ）他の実施形態
上記各実施形態の説明においても、種々変形実施形態に言及したが、さらに、以下に例示するような変形実施形態を挙げることができる。
【０１３９】
上記各実施形態では、超指向性スピーカへの音響信号を形成する分割方法が、時分割、音量分割、帯域分割のいずれかであるものを示したが、これら３種類の分割方法の２以上を組み合わせる分割方法を適用するようにしても良い。例えば、Ｎ個の超指向性スピーカを２つのグループに分け、各グループの音響信号を時分割によってそれぞれ形成し、グループ内の超指向性スピーカ用の音響信号を、音量分割若しくは帯域分割によって形成するようにしても良い。
【０１４０】
上記各実施形態では、再生エリアを通過した音響ビーム（複数の再生エリアを通過する音響ビームの場合は最後の再生エリアを通過した音響ビーム）に対して、何ら処理を施さないものであったが、不要な反射を防止すべく、吸音部材に音響ビームを衝突させるようにしても良い。
【０１４１】
上記各実施形態では、全てのスピーカに超指向性スピーカを適用したものを示したが、適用するスピーカは、超指向性スピーカに限定されるものではない。例えば、全指向性の一般的なスピーカを適用することができる。ここで、全てのスピーカを一般的なスピーカとしても良く、超指向性スピーカと一般的なスピーカとが混在するようにしても良い。後者の場合においては、伝達情報の分配比率が超指向性スピーカと一般的なスピーカとで異なるようにしても良い。例えば、超指向性スピーカと一般的なスピーカとが１個ずつの場合における時分割分配において、分配された総時間が超指向性スピーカと一般的なスピーカとで２対１にするようにしても良い。
【０１４２】
上記各実施形態では、再生エリアにいる者（聴取者）に情報を伝達する用途の場合を説明したが、他の目的のために、再生エリアに音響信号を再生させるようにしても良い。例えば、再生音源として、人間（若しくは他の動物）が不快感を感じていたたまれないものを適用し、再生エリアにいる人間、再生エリアに入ってきた人間等を、他のエリアに移動させるために、本発明の音響再生装置を適用するようにしても良い。
【符号の説明】
【０１４３】
ＳＰ１〜ＳＰＮ…超指向性スピーカ、ＭＩＣ…雑音捕捉用マイクロホン、１０、１０Ａ〜１０Ｅ…音響再生装置、１１…音響信号入力部、１２…音響信号分割部、１３…音響信号分配部、１４…遅延算出部、１５…空間座標データ保持部、１６…遅延器、１７…音響信号出力部、１８…音響信号混合部、１９…背景雑音収音部、２０…雑音データ保持部、２１…雑音混合部、２２…音響信号減衰部、２３…音響信号分岐部、２４…段階ゲイン乗算部、２５…音響帯域制限部、２６…ＦＦＴ処理部、２７…ＦＦＴポイント分配部、２８…逆ＦＦＴ処理部。
【図１】
2015019150.tif 000003
【図２】
2015019150.tif 000004
【図３】
2015019150.tif 000005
【図４】
2015019150.tif 000006
【図５】
2015019150.tif 000007
【図６】
2015019150.tif 000008
【図７】
2015019150.tif 000009
【図８】
2015019150.tif 000010
【図９】
2015019150.tif 000011
【図１０】
2015019150.tif 000012
【図１１】
2015019150.tif 000013
【図１２】
2015019150.tif 000014
【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
与えられた当該スピーカ用の音響信号に基づいて放音動作して音響を送出する、送出した音響が所定の再生エリアを通過する複数のスピーカと、
上記再生エリアに伝達すべき入力された再生音源から、当該再生音源の一部の情報を含む、上記各スピーカ用の音響信号であって、全ての上記スピーカ用の音響信号が重畳したと仮定したときに上記再生音源と等価な信号が得られる、上記各スピーカ用の音響信号を形成するスピーカ別信号形成手段と、
上記スピーカ別信号形成手段が形成した上記各スピーカ用の音響信号をそれぞれ、対応する上記スピーカに与えて放音させるスピーカ別信号出力手段とを有し、
上記スピーカ別信号形成手段は、上記再生音源を少なくとも時間軸方向に分割し、分割により得られた再生音源区間を分配することにより、上記各スピーカ用の音響信号を形成する
ことを特徴とする音響再生装置。
【請求項２】
上記スピーカ別信号形成手段は、時間軸方向の分割点近傍でクロスフェードを掛けることを特徴とする請求項１に記載の音響再生装置。
【請求項３】
上記スピーカ別信号形成手段は、上記各スピーカから放音された音響が上記再生エリアに到達するタイミングが同期するように、形成した少なくとも一部の上記各スピーカ用の音響信号の位相を操作するタイミング調整部を含んでいることを特徴とする請求項１又は２に記載の音響再生装置。
【請求項４】
上記スピーカ別信号形成手段は、上記各スピーカから放音された音響が上記再生エリアに到達して合成された際には、合成音響が背景雑音から浮かび上がるように、形成した上記各スピーカ用の音響信号に背景雑音の成分を混合するスピーカ別雑音混合部を含んでいることを特徴とする請求項１〜３のいずれかに記載の音響再生装置。
【請求項５】
上記スピーカ別信号形成手段は、上記各スピーカから放音された音響が上記再生エリアに到達して合成された際には、合成音響が背景雑音から浮かび上がるように、再生エリアを含む空間の背景雑音のレベルに応じて、形成した上記各スピーカ用の音響信号を減衰する音響信号減衰部を含んでいることを特徴とする請求項１〜３のいずれかに記載の音響再生装置。
【請求項６】
いずれかの上記スピーカから送出された音響を反射させ、上記再生エリアに進行させる反射部材をさらに有することを特徴とする請求項１〜５のいずれかに記載の音響再生装置。
【請求項７】
与えられた当該スピーカ用の音響信号に基づいて放音動作して音響を送出する、送出した音響が所定の再生エリアを通過する複数のスピーカにそれぞれ与える音響信号を形成する装置に搭載されたコンピュータを、
上記再生エリアに伝達すべき入力された再生音源から、当該再生音源の一部の情報を含む、上記各スピーカ用の音響信号であって、全ての上記スピーカ用の音響信号が重畳したと仮定したときに上記再生音源と等価な信号が得られる、上記各スピーカ用の音響信号を形成するものであって、上記再生音源を少なくとも時間軸方向に分割し、分割により得られた再生音源区間を分配することにより、上記各スピーカ用の音響信号を形成するスピーカ別信号形成手段と、
上記スピーカ別信号形成手段が形成した上記各スピーカ用の音響信号をそれぞれ、対応する上記スピーカに与えて放音させるスピーカ別信号出力手段と
して機能させることを特徴とする音響再生プログラム。
【手続補正２】
【補正対象書類名】明細書
【補正対象項目名】００１０
【補正方法】変更
【補正の内容】
【００１０】
第１の本発明の音響再生装置は、（１）与えられた当該スピーカ用の音響信号に基づいて放音動作して音響を送出する、送出した音響が所定の再生エリアを通過する複数のスピーカと、（２）上記再生エリアに伝達すべき入力された再生音源から、当該再生音源の一部の情報を含む、上記各スピーカ用の音響信号であって、全ての上記スピーカ用の音響信号が重畳したと仮定したときに上記再生音源と等価な信号が得られる、上記各スピーカ用の音響信号を形成するスピーカ別信号形成手段と、（３）上記スピーカ別信号形成手段が形成した上記各スピーカ用の音響信号をそれぞれ、対応する上記スピーカに与えて放音させるスピーカ別信号出力手段とを有し、（３’）上記スピーカ別信号形成手段は、上記再生音源を少なくとも時間軸方向に分割し、分割により得られた再生音源区間を分配することにより、上記各スピーカ用の音響信号を形成することを特徴とする。
【手続補正３】
【補正対象書類名】明細書
【補正対象項目名】００１１
【補正方法】変更
【補正の内容】
【００１１】
第２の本発明の音響再生プログラムは、与えられた当該スピーカ用の音響信号に基づいて放音動作して音響を送出する、送出した音響が所定の再生エリアを通過する複数のスピーカにそれぞれ与える音響信号を形成する装置に搭載されたコンピュータを、（１）上記再生エリアに伝達すべき入力された再生音源から、当該再生音源の一部の情報を含む、上記各スピーカ用の音響信号であって、全ての上記スピーカ用の音響信号が重畳したと仮定したときに上記再生音源と等価な信号が得られる、上記各スピーカ用の音響信号を形成するものであって、上記再生音源を少なくとも時間軸方向に分割し、分割により得られた再生音源区間を分配することにより、上記各スピーカ用の音響信号を形成するスピーカ別信号形成手段と、（２）上記スピーカ別信号形成手段が形成した上記各スピーカ用の音響信号をそれぞれ、対応する上記スピーカに与えて放音させるスピーカ別信号出力手段として機能させることを特徴とする。
【手続補正４】
【補正対象書類名】明細書
【補正対象項目名】００３５
【補正方法】変更
【補正の内容】
【００３５】
音響信号分割部１２は、音響信号を分割する際、音響信号をそのまま分割しても良いが、クロスフェード（終了する側の時間間隔はフェードアウトすると共に、新たに開始する側の時間間隔はフェードインする処理）を掛けるように分割することが好ましい。クロスフェードの区間は、例えば、分割時点を中心とした前後合わせて１０ミリ秒間とする。クロスフェードの採用により、各超指向性スピーカからの出力音（放音音）を再生エリア内で聞いた際、異音を発生させず自然な再生音源にすることができる。
【手続補正５】
【補正対象書類名】明細書
【補正対象項目名】００８３
【補正方法】変更
【補正の内容】
【００８３】
そこで、第３の実施形態の音響再生装置では、背景雑音（例えば、再生エリアが存在する空間の背景雑音）を、各超指向性スピーカからの放音音響に重畳してマスクすることにより、再生エリア以外で聴取した者が、各超指向性スピーカからの情報伝達用の放音音響の存在を気付き難くしようとしたものである。
【手続補正６】
【補正対象書類名】明細書
【補正対象項目名】００９４
【補正方法】変更
【補正の内容】
【００９４】
再生エリア以外の他のエリアのうち、超指向性スピーカＳＰ１〜ＳＰＮのいずれか一つの指向性の方向上にあるエリアでは、背景雑音と共に一つの時分割音響を聴取することができる。背景雑音が存在するため、時分割音響に強弱があっても、聴取者は、その時分割音響をさほど意識することなく聴取する。